(57)【要約】【課題】光源部の照射方向を可変する場合でも常に良好な放熱性を維持でき、かつ、器具全体の寸法形状が大きくなるのを抑えたＬＥＤ照明器具を提供する。【解決手段】ＬＥＤ素子１２を有する発光パッケージ７と、この発光パッケージ７が取り付けられる取付板１６と、この取付板１６を揺動可能に支持する固定板１８と、この固定板１８が取り付けられる放熱板１９とを備え、取付板１６と放熱板１９との間が可撓性の熱伝導部材２２を介して連結されている。【選択図】図２
2010009765.tif 000002
【特許請求の範囲】
【請求項１】
ＬＥＤ素子を有する発光パッケージと、この発光パッケージが取り付けられる取付板と、この取付板を揺動可能に支持する固定板と、この固定板が取り付けられる放熱板とを備え、前記取付板と前記放熱板との間が可撓性の熱伝導部材を介して連結されていることを特徴とするＬＥＤ照明器具。
【請求項２】
前記放熱板には、前記取付板との対向箇所に板厚方向に貫通する開口部が形成され、この開口部に前記熱伝導部材が挿通されていることを特徴とする請求項１記載のＬＥＤ照明器具。
【請求項３】
前記熱伝導部材は、前記取付板との連結側が前記発光パッケージの取付面と反対側の裏面に面接触状態で接合されていることを特徴とする請求項１または請求項２に記載のＬＥＤ照明器具。
【発明の詳細な説明】
【技術分野】
【０００１】
本発明は、ＬＥＤ素子を発光光源として照射方向を可変できる機能を有するＬＥＤ照明器具に関するものである。
【背景技術】
【０００２】
従来のＬＥＤ照明装置には、例えばＬＥＤ素子を有する発光ユニットとヒートシンクを有する放熱ユニットとを設け、両ユニット間をヒートパイプを介して接続する。この場合、発光ユニットとヒートシンクとの接続部は、発光ユニットがその照射方向を可変できるようにするために、一方を球面状凸部、他方を球面状凹部として両者を嵌合することにより、ユニバーサルジョイント構造として、発光ユニットの照射方向を可変できるとともに、発光ユニットの発熱をヒートパイプを介して放熱ユニットに伝導させて放熱するようにしたものが提案されている（例えば、下記の特許文献１参照）。
【特許文献１】特開２００３−３１７５２７号公報
【発明の開示】
【発明が解決しようとする課題】
【０００３】
しかし、このような特許文献１に記載の従来構造のものは、照明器具全体の寸法形状が徒に大きくなり、しかも、発光ユニットとヒートパイプとの接続箇所の接触面積が小さくならざるを得ないため、放熱効果が未だ不十分である。
【０００４】
これを改善するためには、例えば、図５および図６に示すように、ＬＥＤ素子が樹脂封止されてなる複数の発光パッケージｂをフレームｃ内に収納した光源部ａを取付板ｄに取り付けるとともに、取付板ｄをヒンジｅを介して固定板ｆに接続し、かつ、取付板ｄと固定板ｆとを熱伝導性の良好な材料で構成することにより、光源部ａを揺動可能に支持するとともに、発光パッケージｂの熱伝導性を確保することが考えられる。
【０００５】
しかし、この構成のものは、図６（ａ）に示すように、光源部ａを回動しない状態では取付板ｄが固定板ｆに面接触するので放熱性が良好に保たれるが、図６（ｂ）に示すように、光源部ａを回動させた状態では取付板ｄが固定板ｆから離間するとともに、取付板ｄと固定板ｆとがヒンジｅで結合されているため、そのヒンジ部分での熱接触が不十分で、光源部ａの発光パッケージｂの発熱を取付板ｄからヒンジｅを介して固定板ｆに効率良く伝導させることが難しい。したがって、光源部ａの回動の有無によって発光パッケージｂ内の図示しないＬＥＤ素子に温度差が生じてしまい、安定した発光特性が十分に得られないという不具合を生じる。
【０００６】
本発明は、上記の課題を解決するためになされたもので、ＬＥＤ素子を有する光源部の照射方向を可変する場合でも常に良好な放熱性を確保することができ、かつ、器具全体の寸法形状が大きくなるのを抑制することができるＬＥＤ照明器具を提供することを目的とする。
【課題を解決するための手段】
【０００７】
上記の目的を達成するために、請求項１記載の発明に係るＬＥＤ照明器具は、ＬＥＤ素子を有する発光パッケージと、この発光パッケージが取り付けられる取付板と、この取付板を揺動可能に支持する固定板と、この固定板が取り付けられる放熱板とを備え、前記取付板と前記放熱板との間が可撓性の熱伝導部材を介して連結されていることを特徴としている。
【０００８】
また、請求項２記載の発明に係るＬＥＤ照明器具は、請求項１記載の発明の構成において、前記放熱板には、前記取付板との対向箇所に上下に貫通する開口部が形成され、この開口部に前記熱伝導部材が挿通されていることを特徴としている。
【０００９】
また、請求項３記載の発明に係るＬＥＤ照明器具は、請求項１または請求項２に記載の発明の構成において、前記熱伝導部材は、前記取付板との連結側が前記発光パッケージの取付面と反対側の裏面に面接触状態で接合されていることを特徴としている。
【発明の効果】
【００１０】
請求項１記載の発明によれば、発光パッケージが取り付けられた取付板と放熱板とは可撓性の熱伝導部材を介して連結されているので、発光パッケージの回動の有無にかかわらず、発光パッケージからの発熱を取付板および熱伝導部材を介して放熱板に効率良く伝導することができる。このため、発光パッケージに対する放熱性を常に良好に維持することができ、ＬＥＤ素子は安定した発光特性が得られる。
【００１１】
しかも、熱伝導部材は、取付板と放熱板を連結するだけの簡単な構造であるので、器具全体の寸法形状が大きくなるのを抑制することができ、器具全体がコンパクトでデザイン性が良い。
【００１２】
また、請求項２記載の発明によれば、請求項１記載の発明の効果に加えて、配光方向を調整するために、発光パッケージを直下方向に配置するときには、熱伝導部材は放熱板に設けられた開口部内に収納され、取付板を任意に角度に傾けると、その傾斜の程度に応じて熱伝導部材は放熱板に連結された状態で伸縮する。このように、発光パッケージの回動に応じて熱伝導部材が自在に屈曲してかさ張ることがないので、器具全体の寸法形状が大きくなるのをさらに抑制することができる。
【００１３】
また、請求項３記載の発明によれば、請求項１または請求項２記載の発明の効果に加えて、熱伝導部材は、取付板との連結側が発光パッケージの取付面と反対側の裏面に面接触状態で接合されているので、発光パッケージの発熱を熱伝導部材により多く伝導することができ、発光パッケージに対する放熱性をさらに高めることができる。
【発明を実施するための最良の形態】
【００１４】
以下、本発明の実施の形態について、図面を参照して詳しく説明する。
【００１５】
図１は本発明のＬＥＤ照明器具の全体を示す斜視図、図２は図１のＡ−Ａ線に沿う断面図、図３は図２の要部を拡大して示す断面図、図４は図２の要部を拡大して示す斜視図である。
【００１６】
この実施の形態のＬＥＤ照明器具は、例えば庭園等の植栽や街路などを照明するものであって、円環状の器具本体１を備え、この器具本体１が地上から立設された支柱２によって支持されている。
【００１７】
上記の器具本体１は、ドーナツ状のフレーム３を備え、このフレーム３の底部側には周方向に沿って所定の間隔を存して透明板等からなる複数の光透過窓４が形成されている。また、フレーム３の内部には、各光透過窓４に対応する位置にそれぞれ光源部５が設けられている。
【００１８】
各光源部５は、発光パッケージ７と、この発光パッケージ７を覆う配光カバー８とを備える。発光パッケージ７は、配線基板１１上に取り付けられたＬＥＤ素子１２がシリコーン等の封止樹脂１３で封止されてなる。また、配光カバー８には、発光パッケージ７に対向してレンズ部１４が一体形成されている。そして、発光パッケージ７と配光カバー８とが取付板１６に一体的に固定されている。
【００１９】
この取付板１６は、発光パッケージ７を覆う配光カバー８よりも僅かに大きな平面積をもち、この取付板１６が、ヒンジ１７を介して固定板１８に揺動可能に支持され、この固定板１８が放熱板１９に一体固定されている。そして、この放熱板１９には、取付板１６との対向箇所において板厚方向に貫通する開口部２３が形成されている。また、放熱板１９は、フレーム３の内面に取付突起２１を介して固定されている。この場合の取付板１６、固定板１８、および放熱板１９は、例えばアルミ板などの比較的熱伝導性の良好な材料で構成されている。
【００２０】
さらに、この実施の形態では、取付板１６と放熱板１９との間が熱伝導部材２２を介して連結されている。すなわち、この熱伝導部材２２は、例えば、薄肉の銅板や真鍮等でできた可撓性を有するとともに熱伝導性が良好な金属材料からなるもので、その一端側が取付板１６の発光パッケージ７の取付面と反対側の裏面に面接触状態で一体接合され、また、他端側は放熱板１９の開口部２３を通過して放熱板１９の取付板配置側と反対側の上面にネジ２４などで固定されている。
【００２１】
したがって、光源部５の配光方向を調整するために、光源部５を取付板１６とともに回動すると、その回動に応じて熱伝導部材２２が自在に屈曲する。すなわち、図３（ａ）に示すように、光源部５を直下方向に配置するときには、熱伝導部材２２は放熱板１９に設けられた開口部２３内に収納され、また、図３（ｂ）に示すように、取付板１６を任意に角度に傾けると、その傾斜の程度に応じて熱伝導部材２２は放熱板１９に連結された状態で伸縮する。
【００２２】
このように、発光パッケージ７が取り付けられた取付板１６と放熱板１９とは可撓性の熱伝導部材２２を介して連結されているので、発光パッケージ７からの発熱を取付板１６からヒンジ１７を介して固定板１８に伝導するだけでなく、取付板１６および熱伝導部材２２を介して放熱板１９に効率良く伝導することができる。このため、光源部５の回動の有無にかかわらず、発光パッケージ７に対する放熱性を常に良好に維持することができ、ＬＥＤ素子１２は安定した発光特性が得られる。特に、この実施の形態のように、熱伝導部材２２が取付板１６の裏面に面接触状態で接合されていると、発光パッケージ７の発熱を熱伝導部材２２により多く伝導することができ、発光パッケージ７に対する放熱性をさらに高めることができるので都合が良い。
【００２３】
しかも、熱伝導部材２２は、取付板１６と放熱板１９を連結するだけの簡単な構造であり、かつ、発光パッケージ７の回動に応じて自在に屈曲してかさ張ることがないので、器具全体の寸法形状が大きくなるのを抑制することができ、器具全体がコンパクトでデザイン性が良い。
【００２４】
なお、上記の実施の形態では、熱伝導部材２２として薄肉の銅板や真鍮等の可撓性で熱伝導性の良好な金属材料からなるものとしたが、本発明はこれに限らず、例えばＥＰＤＭラバーに銅粉末を混入したシート状のものや、銅線などのワイヤ状のものを適用することも可能である。
【図面の簡単な説明】
【００２５】
【図１】本発明の実施の形態１におけるＬＥＤ照明器具の全体を示す斜視図である。
【図２】図１のＡ−Ａ線に沿う断面図である。
【図３】図２の要部を拡大して示す断面図である。
【図４】図２の要部を拡大して示す斜視図である。
【図５】従来のＬＥＤ照明器具の光源部の一例を示す斜視図である。
【図６】同ＬＥＤ照明器具の断面図である。
【符号の説明】
【００２６】
１    器具本体
５    光源部
７    発光パッケージ
１２    ＬＥＤ素子
１６    取付板
１７    ヒンジ
１８    固定板
１９    放熱板
２２    熱伝導部材
２３    開口部
【図１】
2010009765.tif 000003
【図２】
2010009765.tif 000004
【図３】
2010009765.tif 000005
【図４】
2010009765.tif 000006
【図５】
2010009765.tif 000007
【図６】
2010009765.tif 000008